(57)【要約】【課題】本発明は、特に、偽造および盗用による複製を確実に回避して、信頼性および安全性を高めるとともに、より低コストに実施できる偽造防止カードの提供を目的とするものである。【解決手段】基材シートを貫通する任意の位置に設けた開口部に、透明樹脂を結合剤としてビーズがランダムに充填されて表裏両面に透明オーバーシートが貼着されてなり、前記ビーズが視認可能なことを特徴とする偽造防止カードおよびその読み取り方法である。【選択図】図１２
2006123382.tif 000002
【特許請求の範囲】
【請求項１】
基材シートを貫通する任意の位置に設けた開口部に、透明樹脂を結合剤としてビーズがランダムに充填されて表裏両面に透明オーバーシートが貼着されてなり、前記ビーズが視認可能なことを特徴とする偽造防止カード。
【請求項２】
前記ビーズは、赤外線を照射することにより、赤外線を吸収する顔料、異なる波長の赤外線を発光する顔料、又は可視光線を発光する顔料が、単独もしくは複数混入されたものであることを特徴とする請求項１に記載の偽造防止カード。
【請求項３】
前記ビーズは、紫外線を照射することにより、可視光を発光する顔料、又は紫外線を吸収する材料が、単独もしくは複数混入されたものであることを特徴とする請求項１に記載の偽造防止カード。
【請求項４】
前記ビーズは、請求項２に記載のビーズおよび請求項３に記載のビーズが全部もしくは何種類かの組合せで混入されたものであることを特徴とする請求項１に記載の偽造防止カード。
【請求項５】
請求項１乃至４のいずれかに記載の偽造防止カードをイメージセンサにてビーズの位置を読み取り、イメージセンサの画像より認証を行うことを特徴とする偽造防止カードの読み取り方法。
【請求項６】
照射角度の異なる少なくとも２個の光源から照射された光を請求項１乃至４のいずれかに記載の偽造防止カードに交互に照射し、それぞれの光が照射された状態の偽造防止カードをイメージセンサにてビーズの位置を読み取り、それぞれの光が照射された状態のイメージセンサの画像により認証を行うことを特徴とする請求項５に記載の偽造防止カードの読み取り方法。
【請求項７】
照射角度の異なる少なくとも２個の光源のいずれか１個が赤外線光を照射することにより、前記請求項２に記載の偽造防止カードにおいて、可視光を発光するビーズの位置、赤外光を発光するビーズの位置、赤外線を吸収するビーズの位置を読み取り、各条件のイメージセンサの画像より認証を行うことを特徴とする請求項５に記載の偽造防止カードの読み取り方法。
【請求項８】
照射角度の異なる少なくとも２個の光源のいずれか１個が紫外線を照射することにより、前記請求項３に記載の偽造防止カードにおいて可視光を発光するビーズの位置、紫外線を吸収するビーズの位置を読み取り、各条件のイメージセンサの画像より認証を行うことを特徴とする請求項５に記載の偽造防止カードの読み取り方法。
【請求項９】
請求項７および請求項８に記載の偽造防止カードの読み取り方法を組み合わせることで請求項４に記載のカードの認証を行うことを特徴とする偽造防止カードの読み取り方法。
【請求項１０】
撮影角度の異なる少なくとも２台のイメージセンサにて、前記請求項１乃至４のいずれかに記載の偽造防止カードのビーズの位置を読み取り、各イメージセンサの画像より認証を行うことを特徴とする請求項５に記載の偽造防止カードの読み取り方法。
【請求項１１】
撮影角度の異なる少なくとも２台のイメージセンサにてカードに赤外線を照射することにより、前記請求項２に記載する偽造防止カードにおいて可視光を発光するビーズの位置、赤外光を発光するビーズの位置、赤外線光を吸収するビーズの位置を読み取り、各条件のイメージセンサの画像より認証を行うことを特徴とする請求項５に記載の偽造防止カー
ドの読み取り方法。
【請求項１２】
前記撮影角度の異なる少なくとも２台のイメージセンサにてカードに紫外線を照射することにより、前記請求項３に記載の偽造防止カードにおいて可視光を発光するビーズの位置、紫外線を吸収するビーズの位置を読み取り、各条件のイメージセンサの画像より認証を行うことを特徴とする請求項５に記載の偽造防止カードの読み取り方法。
【請求項１３】
請求項１１および請求項１２に記載の偽造防止カードの読み取り方法を組み合わせることで請求項４に記載のカードの認証を行うことを特徴とする偽造防止カードの読み取り方法。
【発明の詳細な説明】
【技術分野】
【０００１】
本発明は、クレジットカード、キャッシュカード、会員カード等カード類の偽造防止に付加ことができ、複写機やスキャナによる偽造を効果的に防止することが出来るとともに安価に製造することが出来るようにした、偽造防止カードおよびそれらの読み取り方法に関するものである。
【背景技術】
【０００２】
一般に、認証情報を磁気的に書き込む磁気カードやデータメモリ機能を有するＩＣカードは、偽造あるいは認証情報が盗用されるおそれがあることより、偽造あるいは盗用を確実に回避できる認証方式およびシステムの実用化が社会的に要求されている。
【０００３】
以下に特許文献を記す。
【特許文献１】特開平１０−４４６５０号公報  従来、偽造あるいは盗用の回避を目的とした認証用タグとして、データキャリアが知られている。このデータキャリアは、使用者固有の認識情報としての認識情報部が付与されたデータキャリアであって、認識情報部を基体となる単色の熱可塑性樹脂のペレットおよびアットランダムに配列される金属粉を押出機により同時成形したものである（例えば、特許文献１参照）。
【０００４】
しかしながら、このような従来のデータキャリアはアットランダムな金属粉を用いることから偽造および複製は困難であるものの、ランダム模様を構成する金属粉が直接読み取られるため、例えばコピー機による識別情報のコピー等に対し、確実に回避出来ないおそれがある。
【発明の開示】
【発明が解決しようとする課題】
【０００５】
本発明は、上述の問題点に鑑みなされたものであって、このような従来の要請に応えたものであり、特に偽造および盗用による複製を確実に回避して、信頼性および安全性を高めるとともに、より低コストに実施できる偽造防止カードの提供を目的とする。
【課題を解決するための手段】
【０００６】
上記課題を達成するために、すなわち、請求項１に記載の発明は、基材シートを貫通する任意の位置に設けた開口部に、透明樹脂を結合剤としてビーズがランダムに充填されて表裏両面に透明オーバーシートが貼着されてなり、前記ビーズが視認可能なことを特徴とする偽造防止カードである。
【０００７】
請求項２に記載の発明は、請求項１に記載の偽造防止カードにおいて、前記ビーズは、赤外線を照射することにより、赤外線を吸収する顔料、異なる波長の赤外線を発光する顔料、又は可視光線を発光する顔料が、単独もしくは複数混入されたものであることを特徴とする。
【０００８】
請求項３に記載の発明は、請求項１に記載の偽造防止カードにおいて、前記ビーズは、紫外線を照射することにより、可視光を発光する顔料、又は紫外線を吸収する材料が、単独もしくは複数混入されたものであることを特徴とする。
【０００９】
請求項４に記載の発明は、請求項１に記載の偽造防止カードにおいて、前記ビーズは、
請求項２に記載のビーズおよび請求項３に記載のビーズが全部もしくは何種類かの組合せで混入されたものであることを特徴とする。
【００１０】
請求項５に記載の発明は、請求項１乃至４のいずれかに記載の偽造防止カードをイメージセンサにてビーズの位置を読み取り、イメージセンサの画像より認証を行うことを特徴とする偽造防止カードの読み取り方法である。
【００１１】
請求項６に記載の発明は、請求項５に記載の偽造防止カードの読み取り方法において、照射角度の異なる少なくとも２個の光源から照射された光を請求項１乃至４のいずれかに記載の偽造防止カードに交互に照射し、それぞれの光が照射された状態の偽造防止カードをイメージセンサにてビーズの位置を読み取り、それぞれの光が照射された状態のイメージセンサの画像により認証を行うことを特徴とする。
【００１２】
請求項７に記載の発明は、請求項５に記載の偽造防止カードの読み取り方法において、照射角度の異なる少なくとも２個の光源のいずれか１個が赤外線光を照射することにより、前記請求項２に記載の偽造防止カードにおいて、可視光を発光するビーズの位置、赤外光を発光するビーズの位置、赤外線を吸収するビーズの位置を読み取り、各条件のイメージセンサの画像より認証を行うことを特徴とする。
【００１３】
請求項８に記載の発明は、請求項５に記載の偽造防止カードの読み取り方法において、照射角度の異なる少なくとも２個の光源のいずれか１個が紫外線を照射することにより、前記請求項３に記載の偽造防止カードにおいて可視光を発光するビーズの位置、紫外線を吸収するビーズの位置を読み取り、各条件のイメージセンサの画像より認証を行うことを特徴とする。
【００１４】
請求項９に記載の発明は、請求項７および請求項８に記載の偽造防止カードの読み取り方法を組み合わせることで請求項４に記載のカードの認証を行うことを特徴とする。
【００１５】
請求項１０に記載の発明は、請求項５に記載の偽造防止カードの読み取り方法において、撮影角度の異なる少なくとも２台のイメージセンサにて、前記請求項１乃至４のいずれかに記載の偽造防止カードのビーズの位置を読み取り、各イメージセンサの画像より認証を行うことを特徴とする。
【００１６】
請求項１１に記載の発明は、請求項５に記載の偽造防止カードの読み取り方法において、撮影角度の異なる少なくとも２台のイメージセンサにてカードに赤外線を照射することにより、前記請求項２に記載する偽造防止カードにおいて可視光を発光するビーズの位置、赤外光を発光するビーズの位置、赤外線光を吸収するビーズの位置を読み取り、各条件のイメージセンサの画像より認証を行うことを特徴とする。
【００１７】
請求項１２に記載の発明は、請求項５に記載の偽造防止カードの読み取り方法において、前記撮影角度の異なる少なくとも２台のイメージセンサにてカードに紫外線を照射することにより、前記請求項３に記載の偽造防止カードにおいて可視光を発光するビーズの位置、紫外線を吸収するビーズの位置を読み取り、各条件のイメージセンサの画像より認証を行うことを特徴とする。
【００１８】
請求項１３に記載の発明は、請求項１１および請求項１２に記載の偽造防止カードの読み取り方法を組み合わせることで請求項４に記載のカードの認証を行うことを特徴とする。
【発明の効果】
【００１９】
本発明の偽造防止カードは、カード基材の一部に透明樹脂とビーズがランダムに混合されたものを埋め込み、前記ビーズが視認できる様に形成されたもので、角度が異なる少なくとも２つの光源もしくはイメージセンサにて前記ビーズ視認部分にランダムに配置されているビーズの位置を前記イメージセンサにて立体的にとらえることができ、そのイメージセンサの画像より真偽判定を行うことができる。
【００２０】
この構成の偽造防止カードは、従来の偽造カードの製造方法のように、磁気カードもしくはＩＣカードのように磁気データもしくはＩＣのメモリデータを盗用し、このデータをあらかじめ大量に作製した磁気カードもしくはＩＣカードにデータを書き込み偽造カードを作製する方法では偽造カードが作製できないことより、偽造防止効果、特にデータの盗用に対して非常に効果的である。
【００２１】
さらに、ビーズの一部に赤外線を照射することにより、赤外線を吸収する顔料、異なる波長の赤外線を発光する顔料、又は可視光線を発光する顔料や紫外線を照射することにより、可視光を発光する顔料、又は紫外線を吸収する顔料をビーズ中に練り込みもしくは被覆し、それらのビーズを読み取ることで、より一層の偽造防止効果が期待できる。
【発明を実施するための最良の形態】
【００２２】
以下、図面を用いて本発明の実施の形態を詳細に説明する。図１は、本発明の偽造防止カードの一実施例を示す平面図であり、図２は、図１の偽造防止カードのＸ−Ｘ線における断面図である。また、図３〜５は、本発明の偽造防止カードの一実施例を示す平面図である。さらに、図６〜１１は、本発明の偽造防止カードの読み取り方法を示した概略図である。また、図１２は本発明の偽造防止カードの読み取り方法および真偽判定方法を示した概略図である。
【００２３】
図１および図２の偽造防止カード１は、カード基材１１の一部分が開口しており、透明窓部１２を形成している。前記透明窓部１２にはランダムに配置されたビーズ１３と透明樹脂が充填されており、オーバーシート１４にてカード基材１１をラミネートした構成となっている。前記透明窓部１２に設けられたビーズ１３の配置は、個々の偽造防止カード１により異なる。さらにビーズ１３はカード基材１１の厚みの中任意の位置に透明樹脂にて固定されている。
【００２４】
図３における偽造防止カード２は、図１および図２に示した偽造防止カード１と同じ構成でかつ、透明窓部２２の中にビーズ２３の他に赤外線吸収顔料が練り込まれたビーズ２４、赤外可視蛍光顔料が練り込まれたビーズ２５、および赤外赤外蛍光顔料が練り込まれたビーズ２６がランダムに混入している。また、図４における偽造防止カード３は、図１および図２に示した偽造防止カード１と同じ構成でかつ、透明窓部３２の中にビーズ３３の他に紫外線蛍光顔料が練り込まれたビーズ３７、および紫外線吸収剤が練り込まれたビーズ３８がランダムに混入している。さらに、図５における偽造防止カード４は、図１および図２に示した偽造防止カード１と同じ構成でかつ、透明窓部４２の中にビーズ４３の他に赤外線吸収顔料が練り込まれたビーズ４４、赤外可視蛍光顔料が練り込まれたビーズ４５、赤外赤外蛍光顔料が練り込まれたビーズ４６、紫外線蛍光顔料が練り込まれたビーズ４７、および紫外線吸収剤が練り込まれたビーズ４８がランダムに混入している。
【００２５】
図６は、図１の偽造防止カード１の読み取り方法を示す概略図で、偽造防止カード１の透明窓部１２の部分に、光源（可視光）５１を照射し、偽造防止カード１の透明窓部１２を透過させ、イメージセンサ５３にて透明窓部１２のイメージセンサ画像５５を取り込む構成となっている。イメージセンサ画像５５中に映し出されたビーズ画像５７の位置を予め記録されている偽造防止カード１の透明窓部１２のビーズ配置と比較して真偽判定を行う。
【００２６】
図７は、図６と同様に図１の偽造防止カード１の読み取り方法を示す概略図であるが、互いの照射角度が異なる光源（可視光）６１および６２が設けられており、互いの光源６１および６２の照射時間をずらすことにより、イメージセンサ６３に２種類のイメージセンサ画像６５および６６が取り込まれる構成となっている。これにより偽造防止カード１の透明窓部１２のビーズ配置がより立体的に真偽判定を行うことができる。
【００２７】
図８は、図３の偽造防止カード２の読み取り方法を示す概略図となっており、図７の構成と同じであるが異なる点は、光源（赤外光）７２を設けた構成になっていることである。偽造防止カード２の透明窓部に可視光線の光源（可視光）７１の他に光源（赤外光）７２を照射することにより、イメージセンサ７３にて取り込まれる画像は、図７と同様のイメージセンサ画像７５と赤外光を照射したことによりビーズの状態が変化しているイメージセンサ画像７６を得ることができる。イメージセンサ画像７６は、偽造防止カード２の透明窓部２２中に混入されている赤外線吸収顔料が練り込まれたビーズ２４、赤外可視蛍光顔料が練り込まれたビーズ２５、および赤外赤外蛍光顔料が練り込まれたビーズ２６により、発光しているビーズ画像７９および吸光しているビーズ画像８０が観察できる。
【００２８】
図９は、図５の偽造防止カード４の読み取り方法を示す概略図となっており、前記図８の構成に加えて光源（紫外光）９１が設けられた構成になっている。偽造防止カード３の透明窓部に赤外光の光源（赤外光）９２と紫外光の光源（紫外光）９１を交互に照射することにより、イメージセンサ９３にて取り込まれる画像は、図８と同様に赤外光を照射したことによりビーズの状態が変化しているイメージセンサ画像１１６と紫外光を照射したことによりビーズの状態が変化しているイメージセンサ画像１１５を得ることができる。イメージセンサ画像１１６は、偽造防止カード４の透明窓部４２中に混入されている赤外線吸収顔料が練り込まれたビーズ４４、赤外可視蛍光顔料が練り込まれたビーズ４５、および赤外赤外蛍光顔料が練り込まれたビーズ４６により、発光しているビーズ画像１２０および吸光しているビーズ画像１１９が観察できる。さらに、イメージセンサ画像１１５は、偽造防止カード４の透明窓部４２中に混入されている紫外蛍光顔料が練り込まれたビーズ４６、および紫外線吸収材が練り込まれたビーズ４８により、発光しているビーズ画像１１８および吸光しているビーズ画像１１７が観察できる。
【００２９】
図１０は、図１の偽造防止カード１の読み取り方法を示す概略図で、偽造防止カード１の透明窓部１２の部分に光源（可視光）１０１を照射し、偽造防止カード１の透明窓部１２を透過させ、互いの撮影角度が異なるイメージセンサ１０３および１０４にてそれぞれイメージセンサ画像１０５および１０６を取り込む構成となっている。イメージセンサ画像１０５および１０６中に映し出されたビーズ画像１０７および１０８の位置を予め記録されている画像と比較して真偽判定を行う。
【００３０】
図１１は、図１０の構成と同じであるが、赤外光を照射する光源（赤外光）１１１を設けることにより、赤外線に反応するビーズを特徴的にとらえることができる。さらにイメージセンサ１１４の手前に光学フィルター１２１を設けることにより、偽造防止カード４中の赤外可視蛍光顔料が練り込まれたビーズ４５と赤外赤外蛍光顔料が練り込まれたビーズ４６を判別できるようになる。具体的には光学フィルター１２１は可視光域をカットするフィルターとなっており、赤外赤外蛍光顔料が練り込まれたビーズ４６のみがイメージセンサ画像において発光しているビーズ画像となり得える。
【００３１】
図１２は、図１０の偽造防止カード１の真偽判定方法の１実施例を示す概略図で、偽造防止カード４の裏面から透明窓部１２に向けて光源（可視光）を照射し、互いに撮影角度の異なるイメージセンサ１０３および１０４にイメージセンサ画像１０５および１０６を取り込む。真偽判定はデータ処理部１３１で行い、イメージセンサ画像１０５および１０
６を合成１３２して暗号かおよびコード化１３３を行い、データベース１３４に予め記録されているコードと一致するかどうか真偽判定１３５を行い、一致した場合次の処理１３６を行い、一致しない場合排除１３７を行う。
【００３２】
カード基材１１、２１、３１、４１は、０．０５〜１．０ｍｍの範囲のシートであれば特に限定するものではないが、例えばカード等の如く切断やエンボス加工性を考慮すると、プラスチックシートが好適で、上記カードの場合は、０．５ｍｍ程度の透明プラスチックで、塩化ビニル（ＰＶＣ）、ポリエチレンテレフタレート（ＰＥＴ）、ポリエチレン（ＰＥ）、ポリプロピレン（ＰＰ）、ポリスチレン（ＰＳ）あるいはＡＢＳのシートなどが挙げられ、特にエンボス適性等から塩化ビニルが多くしようされ、近年では焼却における環境問題等から非晶性のＰＥＴ等を含め前記の樹脂を工夫して使用するようになってきている。
【００３３】
カード基材１１、２１、３１、４１の一部をくりぬいた部分に設けられた透明窓部１２、２２、３２、４２には、透明樹脂とビーズが混合されたビーズ入り樹脂が充填されており、カード基材と同じ厚さになるように調整されている。ここで使用される透明樹脂はビーズと異なる屈折率を持つものであれば特に限定するものではないが、カード基材と同様の組成である例えば、塩酢ビ系樹脂、ポリエステル系樹脂、オレフィン系樹脂等もしくはアクリル系樹脂、エポキシ系樹脂等が好ましい。
【００３４】
ビーズ１３、２３、３３、４３は、偽造防止カード中に入れることのできる大きさのもの、すなわちカード基材の厚み以下の大きさであれば特に限定するものではなく、材質としてガラス、プラスチック等がある。
【００３５】
赤外線吸収顔料が練り込まれたビーズ２４、４４は、前記ビーズ中に赤外線を吸収する顔料が練り込まれたものである。また、ビーズ表面に赤外線を吸収する顔料をコートしたものでも良い。
【００３６】
赤外可視蛍光顔料が練り込まれたビーズ２５、４５は、前記ビーズ中にある赤外レーザー光を照射すると可視光領域に発光する顔料が練り込まれたものである。前記同様、ビーズ表面に前記赤外可視蛍光顔料をコートした形でも良い。
【００３７】
赤外赤外蛍光顔料が練り込まれたビーズ２６、４６は、前記ビーズ中にある赤外レーザー光を照射すると照射した赤外波長よりも長波長側で発光する顔料が練り込まれたものである。前記同様、ビーズ表面に前記赤外赤外蛍光顔料をコートした形でも良い。
【００３８】
紫外蛍光顔料が練り込まれたビーズ３７、４７は、前記ビーズ中に紫外光を照射すると可視光領域に発光する顔料が練り込まれたものである。前期同様、ビーズ表面に前記紫外形光顔料をコートした形でも良い。
【００３９】
紫外線吸収剤が練り込まれたビーズ３８、４８は、前記ビーズ中に紫外光を吸収する材料が練り込まれたものである。前記同様、ビーズ表面に前記紫外線吸収剤をコートした形でも良い。
【００４０】
本発明を、具体的な実施例を挙げて詳細に説明する。
【実施例１】
【００４１】
０．５４ｍｍ厚の白色塩ビ基材の一部を幅２０ｍｍ、高さ１５ｍｍの大きさにくり抜き、前記白色塩ビ基材の下に０．１ｍｍ厚の透明塩ビ製オーバーシートを借り止めし、塩ビ基材をくり抜いた部分に大きさ直径０．１〜０．５ｍｍのガラスビーズをエポキシ樹脂に
混合したものを充填し、その上に０．１ｍｍ厚の透明塩ビ製オーバーシートを重ね、カード表面に磁気ストライプテープを貼り、熱プレス法によりラミネートを行い、カードの大きさに抜き偽造防止カードを得た。
【００４２】
上記偽造防止カードをスキャナーで読み込み、偽造カードを作製を作製したが、図１２に示す読み取り装置にて判定を行ったところ、真券と一致しないため、偽造カードと判定された。
【実施例２】
【００４３】
０．５４ｍｍ厚の白色塩ビ基材の一部を幅２０ｍｍ、高さ１５ｍｍの大きさにくり抜き、前記白色塩ビ基材の下に０．１ｍｍ厚の透明塩ビ製オーバーシートを借り止めし、塩ビ基材をくり抜いた部分に直径０．１〜０．５ｍｍのガラスビーズ、赤外線吸収顔料が練り込まれたビーズ、赤外可視蛍光顔料が練り込まれたビーズ、および赤外赤外蛍光顔料が練り込まれたビーズをエポキシ樹脂に混合したものを充填し、その上に０．１ｍｍ厚の透明塩ビ製オーバーシートを重ね、カード表面に磁気ストライプテープを貼り、熱プレス法によりラミネートを行い、カードの大きさに抜き偽造防止カードを得た。
【００４４】
上記偽造防止カードをスキャナーで読み込み、偽造カードを作製を作製したが、図８に示す読み取り装置にて判定を行ったところ、真券と一致しないため、偽造カードと判定された。
【図面の簡単な説明】
【００４５】
【図１】本発明の偽造防止カードの一実施例を示す平面図である。
【図２】図１の偽造防止カードのＸ−Ｘ線における断面図である。
【図３】本発明の偽造防止カードの一実施例を示す平面図である。
【図４】本発明の偽造防止カードの一実施例を示す平面図である。
【図５】本発明の偽造防止カードの一実施例を示す平面図である。
【図６】図１の偽造防止カードの読み取り方法を示す概略図である。
【図７】図１の偽造防止カードの読み取り方法を示す概略図である。
【図８】図３の偽造防止カードの読み取り方法を示す概略図である。
【図９】図５の偽造防止カードの読み取り方法を示す概略図である。
【図１０】図１の偽造防止カードの読み取り方法を示す概略図である。
【図１１】図５の偽造防止カードの読み取り方法を示す概略図である。
【図１２】図１の偽造防止カードの真偽判定方法を示す概略図である。
【符号の説明】
【００４６】
１、２、３、４・・・偽造防止カード
１１、２１、３１、４１・・・カード基材
１２、２２、３２、４２・・・透明窓部
１３、２３、３３、４３・・・ビーズ
１４・・・オーバーシート
２４、４４・・・赤外線吸収顔料が練り込まれたビーズ
２５、４５・・・赤外可視蛍光顔料が練り込まれたビーズ
２６、４６・・・赤外赤外蛍光顔料が練り込まれたビーズ
３７、４７・・・紫外蛍光顔料が練り込まれたビーズ
３８、４８・・・紫外線吸収剤が練り込まれたビーズ
５１、６１、６２、７１、１０１・・・光源（可視光）
７２、９２、１１１・・・光源（赤外光）
９１・・・光源（紫外光）
５３、６３、７３、９３、１０３、１０４、１１３、１１４・・・イメージセンサ
５５、６５、６６、７５、７６、９５、９６、１０５、１０６、１１５、１１６・・・イメージセンサ画像
５７、６７、６８、７７、７８、１０７、１０８・・・ビーズ画像
７９、９７、９９、１１８、１２０・・・発光しているビーズ画像
８０、９８、１００、１１７、１１９・・・吸光しているビーズ画像
１２１・・・光学フィルター
１３１・・・データ処理部
【図１】
2006123382.tif 000003
【図２】
2006123382.tif 000004
【図３】
2006123382.tif 000005
【図４】
2006123382.tif 000006
【図５】
2006123382.tif 000007
【図６】
2006123382.tif 000008
【図７】
2006123382.tif 000009
【図８】
2006123382.tif 000010
【図９】
2006123382.tif 000011
【図１０】
2006123382.tif 000012
【図１１】
2006123382.tif 000013
【図１２】
2006123382.tif 000014